(57)【要約】【課題】市販されているカメラに使用することができ、使用時には、カメラ本体が遮光フードの内側に収納可能な遮光フードを提供すること。【解決手段】正面前方が開放された箱形状をなすと共に、上部を形成する上壁２と、左右の側部をそれぞれ形成する両側壁３、４と、前後方向における略中央から後方に亘って下部を形成する底壁５とを備え、上壁２と、左右の両側壁３、４と底壁５とで囲まれた内部空間により正面前方に開放され、かつカメラ本体が出し入れ自在に収納されるカメラ収納部８が形成される。上壁２と左右の両側壁３、４とによって、カメラ収納部８に収納されたカメラ本体の液晶表示面が３方から取り囲まれるように配置され、液晶表示面に入射しようとする外光が遮断される。【選択図】図１
0003145110.tif 000002
【実用新案登録請求の範囲】
【請求項１】
正面前方が開放された箱形状をなすと共に、上部を形成する上壁と、左右の側部をそれぞれ形成する両側壁と、前後方向における略中央から後方に亘って下部を形成する底壁とを備え、
前記上壁と、前記左右の両側壁と前記底壁とで囲まれた内部空間により正面前方に開放され、かつカメラ本体が出し入れ自在に収納されるカメラ収納部が形成され、
前記上壁と前記左右の両側壁とによって、前記カメラ収納部に収納されたカメラ本体の液晶表示面が３方から取り囲まれるように配置され、前記液晶表示面に入射しようとする外光が遮断される、
ことを特徴とする遮光フード。
【請求項２】
前記上壁と、前記左右の両側壁と、前記底壁とに隣接された背面に、前記カメラ本体の前面を開放させるための矩形状の開口が設けられると共に、前記開口の周囲全周に亘って縁枠が形成されている、
ことを特徴とする請求項１に記載の遮光フード。
【請求項３】
前記上壁に、シャッタボタン用孔が設けられている、
ことを特徴とする請求項１又は２に記載の遮光フード。
【請求項４】
前記底壁は、前記縁枠の下辺に沿って該縁枠の裏面に向けて折曲自在に形成され、
前記左右の両側壁の上辺はそれぞれ前記上壁の左右の側縁と接合され、
前記左右の両側壁の後辺はそれぞれ前記縁枠の左右の側縁と接合され、
前記左右の両側壁の下辺は、前記底壁の左右の側縁に沿って隙間を開けて配置され、
前記左右の両側壁の各々には、前記上辺と前記後辺とが交差する角部より前記左右の両側壁を直線状に略２分し、かつ内方に向かって折り込み可能な折り曲げライン部がそれぞれ形成され、
前記左右の両側壁を前記各折り曲げライン部で内方に向かって折り込むことで、前記左右の両側壁が略半分に折り畳まれて重合されると共に、その上から前記上壁が前記縁枠に向けて折り曲げられ重合され、さらにその上から、前記底壁が前記上壁に向けて折り曲げられて重合されて、折り畳み可能である、
ことを特徴とする請求項１乃至３のうちのいずれか１つに記載の遮光フード。
【請求項５】
前記上壁に、左右方向に沿ってスリット状の切り溝が形成され、
前記底壁の前端に、前方に張り出した差込片が形成され、
前記底壁が前記上壁に向けて折り曲げられて重合され、
前記差込片が前記切り溝に差し込まれて係止される、
ことを特徴とする請求項４に記載の遮光フード。
【考案の詳細な説明】
【技術分野】
【０００１】
本考案は、デジタルカメラ等の液晶モニタ用の遮光フードに関する。
【背景技術】
【０００２】
屋外で使用される液晶モニタ付デジタルカメラには、液晶モニタの液晶表示面に太陽光等の外光が照射されて画像が見えにくくなることを防止するために、着脱自在な遮光フードが取り付けられる場合がある。
【０００３】
例えば、液晶モニタが設けられたカメラ本体に取り付けられ、液晶モニタの画像表示面に照射される外光を遮光する遮光位置と、画像表示面を覆う保護位置との間で変位する遮光フードと、遮光フードが遮光位置及び保護位置の一方から他方へ変位したことを検出する検出手段と、検出手段により、遮光フードが遮光位置に変位したことが検出された場合にカメラの電源をオンし、遮光フードが保護位置に変位したことが検出された場合にカメラ本体の電源をオフする電源投入手段とを設けた液晶モニタ付カメラが提案されている（特許文献１）。
【０００４】
特許文献１に開示されている液晶モニタ付カメラは、カメラ本体に着脱可能に取り付けられる遮光フードユニットを備えている。遮光フードユニットは、取付枠、上板、左板、右板から構成されており、それぞれがＡＢＳ樹脂等の比較的耐衝撃性に優れる樹脂部材から形成されている。遮光フードユニットは、取付枠に設けられた係合部をカメラ本体に設けられた係合穴に係合させるとともに、取付枠の左端及び右端でカメラ本体を両側から狭持することにより、カメラ本体の背面に位置決めされて固定される。
【０００５】
遮光フードユニットは、カメラ本体に取り付けられた状態で、液晶モニタの表示面に照射される外光を遮光する遮光位置と、カメラ本体の背面全体を覆う保護位置との間で変位する。上板及び左右の側板は、軸によって取付枠の上部、左部、右部にそれぞれ軸着されている。また、左右の側板は、軸にそれぞれ取り付けられたバネにより、保護位置から遮光位置に向けてバネ付勢されている。遮光フードユニットは、遮光位置に変位されたときに液晶モニタの表示面が上板及び左右の側板によって三方から取り囲まれるようになされ、保護位置に変位されたときに左右の側板が表示面の前面に回動され、上板で左右の側板を挟み込んでカメラ本体の背面全体を覆うようになっている。
【０００６】
また、柔らかくて薄い紙、布、皮革、ゴムやプラスチックシートを主体に遮光フード本体を構成し、機器本体への装着はマジックテープ（登録商標）や両面テープなどの剥離可能な接着材，粘着材を使用し、着脱、交換、収納を容易ならしめ、遮光フード本体は上面板と両側面板および底面板が使用時には断面コあるいはロ字状になるように形成し、不使用時には三つ折りあるいは四つ折り状に折り畳み可能で薄くすることができるようにした液晶モニタ用遮光フードが提案されている（特許文献２）。
【０００７】
特許文献２に開示されている液晶モニタ用遮光フードは、上面板の前縁に設けられた接着部に面ファスナの雌雄の一方を貼付し、カメラ本体の液晶モニタの上辺に面する部分に面ファスナの雌雄の他方を貼付し、これらを合わせてカメラに装着する。遮光フード本体の両側面板を、カメラ本体の液晶モニタの左右の側辺に面する部分にそれぞれ設けられた側面板支持ガイドとの間に沿ってそれぞれを挿入すると、上面板とでコ字状の遮光フードが形成される。
【０００８】
また、上面板の後縁に設けられた接着部に面ファスナの雌雄の一方を貼付し、カメラ本体の液晶モニタの下辺に面する部分に面ファスナの雌雄の他方を貼付し、これらを合わせて、液晶モニタを塞ぐように構成されている。非使用時は両側面板を折り、上面板と三つ折りにし、上面板の後縁に設けられた接着部と液晶モニタの下辺に面する部分の接着材とを合わせる。
【０００９】
【特許文献１】特開２００４−２４５９９８号公報
【特許文献２】特開２００７−１６６５６６号公報
【考案の開示】
【考案が解決しようとする課題】
【００１０】
特許文献１に開示されている遮光フードユニットは、カメラ本体と一組のセットをなす技術思想のもので、カメラ本体に遮光フードユニットを取り付けるための係止穴を設ける一方、遮光フードユニットの取付枠の上辺部の後面中央に後方に向けて突出すると共に、係止孔に係合する係合部を設ける必要がある。特に、カメラ本体に係止穴を設ける必要があり、市販されているカメラに遮光フードユニットを取り付けることができず、汎用性に欠ける。
【００１１】
特許文献２に開示されている液晶モニタ遮光フードは、カメラ本体に取り付けるに当たって、カメラ本体の液晶モニタの上辺に面する部分に面ファスナの雌雄の他方を貼付し、液晶モニタの下辺に面する部分に面ファスナの雌雄の他方を貼付し、液晶モニタの左右の側辺に沿う部分にそれぞれ側面板支持ガイドを両面粘着テープ等により、取り付ける必要がある。このため、カメラ本体に対してこれらの部材を取り付ける作業が面倒である。また、遮光フード本体の上面板の前縁及び後縁にそれぞれ設けられた各接着部に面ファスナの雌雄の一方を貼付する必要がある。このため、使用に当たってこれらカメラ本体及び遮光フード本体に対する各部材の取付作業が面倒である。
【００１２】
また、遮光フード本体はカメラ本体の背面に配置されている液晶モニタの周囲にコ字状に取り付けられるため、カメラを操作するときに、遮光フード本体に強く触れるような場合、遮光フードが脱落する可能性があり、安定度が期待できない。
【００１３】
そこで、本考案は、これに鑑みてなされたもので、その目的は、市販されているカメラに使用することができ、使用時には、カメラ本体が遮光フードの内側に収納可能な遮光フードを提供するものである。
【課題を解決するための手段】
【００１４】
請求項１に係る遮光フードは、上記課題を解決するために、正面前方が開放された箱形状をなすと共に、上部を形成する上壁と、左右の側部をそれぞれ形成する両側壁と、前後方向における略中央から後方に亘って下部を形成する底壁とを備え、前記上壁と、前記左右の両側壁と前記底壁とで囲まれた内部空間により正面前方に開放され、かつカメラ本体が出し入れ自在に収納されるカメラ収納部が形成され、前記上壁と前記左右の両側壁とによって、前記カメラ収納部に収納されたカメラ本体の液晶表示面が３方から取り囲まれるように配置され、前記液晶表示面に入射しようとする外光が遮断される、ことを特徴とする。
【００１５】
請求項２に係る遮光フードは、請求項１に係る遮光フードにおいて、前記上壁と、前記左右の両側壁と、前記底壁とに隣接された背面に、前記カメラ本体の前面を開放させるための矩形状の開口が設けられると共に、前記開口の周囲全周に亘って縁枠が形成されている、ことを特徴とするものである。
【００１６】
請求項３に係る遮光フードは、請求項１又は２に係る遮光フードにおいて、前記上壁に、シャッタボタン用孔が設けられている、ことを特徴とするものである。
【００１７】
請求項４に係る遮光フードは、請求項１乃至３のうちのいずれか１つに係る遮光フードにおいて、前記底壁は、前記縁枠の下辺に沿って該縁枠の裏面に向けて折曲自在に形成され、前記左右の両側壁の上辺はそれぞれ前記上壁の左右の側縁と接合され、前記左右の両側壁の後辺はそれぞれ前記縁枠の左右の側縁と接合され、前記左右の両側壁の下辺は、前記底壁の左右の側縁に沿って隙間を開けて配置され、前記左右の両側壁の各々には、前記上辺と前記後辺とが交差する角部より前記左右の両側壁を直線状に略２分し、かつ内方に向かって折り込み可能な折り曲げライン部がそれぞれ形成され、前記左右の両側壁を前記各折り曲げライン部で内方に向かって折り込むことで、前記左右の両側壁が略半分に折り畳まれて重合されると共に、その上から前記上壁が前記縁枠に向けて折り曲げられ重合され、さらにその上から、前記底壁が前記上壁に向けて折り曲げられて重合されて、折り畳み可能である、ことを特徴とするものである。
【００１８】
請求項５に係る遮光フードは、請求項４に係る遮光フードにおいて、前記上壁に、左右方向に沿ってスリット状の切り溝が形成され、前記底壁の前端に、前方に張り出した差込片が形成され、前記底壁が前記上壁に向けて折り曲げられて重合され、前記差込片が前記切り溝に差し込まれて係止される、ことを特徴とするものである。
【考案の効果】
【００１９】
請求項１に係る遮光フードによれば、カメラ本体の後面に配置された液晶表示面を手前に向けた状態で、遮光フードの開放された正面方向からカメラ本体をカメラ収納部に装入すると、カメラ本体をカメラ収納部に収納させることができる。このように、カメラ本体を遮光フードの内側に簡単に収納することができる。したがって、市販されているカメラに使用することができ、使用時には、カメラ本体が遮光フードの内側に収納され、カメラ収納部にカメラ本体が収納されている状態にあっては、上壁と左右の両側壁とによって、液晶表示面が３方から取り囲まれるように配置されるので、カメラ本体の背面の液晶表示面に入射しようとする外光を遮断することができる。カメラ本体が遮光フードの内側のカメラ収納部に収納されているため、カメラを操作するときでも、遮光フードの安定度がよい。
【００２０】
請求項２に係る遮光フードによれば、カメラ本体の前面の上縁、下縁、左右の側縁に縁枠が当接するので、液晶表示面を確認しようとしてカメラを下方に傾けた場合でも、カメラ本体が縁枠に支持されるので、カメラ本体が遮光フードから抜け出すことがない。
【００２１】
請求項３に係る遮光フードによれば、上壁にシャッタボタン用孔が設けられているので、カメラ本体が遮光フードの内側のカメラ収納部に収納されている状態で、シャッタボタン用孔を通じてカメラ本体上面のシャッタを操作することができる。よって、カメラを操作するときでも、遮光フードの安定度がよい。
【００２２】
請求項４に係る遮光フードによれば、非使用時には、カメラ収納部からカメラ本体を外部に取り出した後、左右の両側壁を各折り曲げライン部で内方に向かって折り込むと、左右の両側壁が略半分に折り畳まれて重合されると共に、その上から上壁を縁枠に向けて折り曲げて重合することができ、さらにその上から、底壁を上壁に向けて折り曲げて重合することができる。したがって、遮光フードを極めて薄型に折り畳むことができ、携帯するときも嵩張らない。
【００２３】
請求項５に係る遮光フードによれば、底壁を上壁に重合した状態で、底壁の差込片を上壁の切り溝に差し込むことで係止させることで、遮光フードの折り畳み状態を保持することができる。
【考案を実施するための最良の形態】
【００２４】
以下、本考案の実施の形態を図面を参照して説明する。図１は本考案の実施形態に係る遮光フードを正面斜め上方から示す斜視図であり、図２は図１の遮光フードを背面斜め上方から示す斜視図である。また、図３乃至図７の各図は、それぞれ遮光フードの正面図、遮光フードの背面図、遮光フードの側面図、遮光フードの平面図、遮光フードの底面図である。
【００２５】
図１乃至図２において、実施形態の遮光フード１は、例えば、軟質の合成樹脂材から形成されている。遮光フード１は、正面前方が開放されると共に背面が開口された正面視略矩形状の箱形状をなすと共に、上部を形成する上壁２と、左右の側部をそれぞれ形成する側壁３、４と、前後方向における略中央から後部に亘って下部を形成する底壁５とを備えている。
【００２６】
図５及び図７に示すように、底壁５の前後方向の奥行き寸法は、上壁２の前後方向の奥行き寸法よりも短く、本実施形態では、底壁５の前後方向の奥行き寸法は、例えば、上壁２の前後方向の奥行き寸法の略半分とされ、前後方向における略中央から後部に亘って形成されている。
【００２７】
図２に示すように、遮光フード１の背面には、カメラ本体（図示せず）の前面（撮像用のレンズ等が配置されている）を開放させるための矩形状の開口６が設けられると共に、開口６の周囲全周に亘って額縁状の縁枠７が形成されている。
【００２８】
遮光フード１は、上壁２と、左右の側壁３、４と底壁５とで囲まれた内部空間により正面前方に開放され、かつカメラ本体が出し入れ自在に収納されるカメラ収納部８が形成されている（図１参照）。
【００２９】
また、上壁２の後部右側寄りには、シャッタボタン用孔９が設けられ、上壁２の中央には、左右方向に沿って幅小のスリット状の切り溝１０が形成されている（図１、図２、図６参照）。
【００３０】
また、底壁５は、遮光フード１の背面の縁枠７の下辺に沿って縁枠７の裏面に向けて折曲自在に形成されている（図４乃至図５参照）。底壁５の前端縁中央には、前方に円弧状或いは舌状に張り出した差込片１１が形成されている（図１、図７参照）。
【００３１】
左右の側壁３、４は、図５に示すように、上辺３ａ並びに４ａと、上辺に直交する後辺３ｂ並びに４ｂと、上辺に平行に対向し、かつ後辺３ｂに直交する下辺３ｃ並びに後辺４ｂに直交する４ｃと、後辺３ｂに対向すると共に下方から上方に向けて前方斜めに形成された斜辺３ｄ並びに後辺４ｂに対向すると共に下方から上方に向けて前方斜めに形成された斜辺４ｄとを有した略台形状をなす。
【００３２】
左右の側壁３、４の上辺３ａ、４ａは、それぞれ上壁２の左右の側縁と接合され、左右の側壁３、４の後辺３ｂ、４ｂは、それぞれ縁枠７の左右の側縁と接合されている（図１、図２、図５参照）。左右の側壁３、４の下辺３ｃ、４ｃは、底壁５の左右の側縁に沿って隙間を開けて配置される。左右の側壁３、４の各々には、上辺３ａ並びに上辺４ａと後辺３ｂ並びに後辺４ｂとが交差する角部より各斜辺３ｄ、４ｄに向けて、左右の側壁３、４を直線状に略２分し、かつ内方に向かって折り込み可能な折り曲げライン部１２がそれぞれ形成されている。
【００３３】
図８は平面に展開して示す遮光フード１の展開図である。図１乃至図７に示す遮光フード１は、図８において、縁枠７に対して上壁２、側壁３、側壁４及び底壁５の各々を、縁枠７との各境界線を折り返し線として紙面手前に向けて直角に折り曲げて形成される。上壁２の左右側縁には、外側方にそれぞれ延出して貼着片１３、１３が形成されている。貼着片１３、１３は、貼着片１３、１３と上壁２との各境界線を折り返し線として紙面手前に向けて直角に折り曲げられた後、貼着片１３、１３の外面に接着剤が塗布され、左右の側壁３、４の上辺に沿う内側部分に接着により固定され、遮光フード１が形成される。
【００３４】
以上のように構成された遮光フード１の作用について説明する。図９は使用時の遮光フード１を正面斜め上方から示す斜視図である。カメラ本体１４（一点鎖線で図示）の後面に配置された液晶表示面１５を手前に向けた状態で、遮光フード１の開放された正面方向からカメラ本体１４をカメラ収納部８に装入すると、カメラ本体１４をカメラ収納部８に収納させることができる。このように、カメラ本体１４を遮光フード１の内側に簡単に収納することができる。したがって、市販されているカメラに使用することができる。
【００３５】
カメラ収納部８にカメラ本体１４が収納されている状態にあっては、上壁２と左右の側壁３、４とによって、液晶表示面１５が３方から取り囲まれるように配置され、カメラ本体１４の背面の液晶表示面１５に入射しようとする外光を遮断する（図９参照）。また、上壁２に設けられたシャッタボタン用孔９を通じてカメラ本体１４の上面のシャッタ１６を操作することができる。カメラ本体１４の前面の上縁、下縁、左右の側縁に縁枠７が当接するので、液晶表示面１５を確認しようとしてカメラ本体１４を下方に傾けた場合でも、カメラ本体１４が縁枠７に支持されるので、カメラ本体１４が遮光フード１から抜け出すことがない。使用時には、カメラ本体１４が遮光フード１の内側に収納されているため、カメラを操作するときでも、遮光フード１の安定度がよい。
【００３６】
使用後の、非使用時には、カメラ収納部８からカメラ本体１４を外部に取り出した後、左右の側壁３、４を各折り曲げライン部１２で内方に向かって折り込むと、左右の側壁３、４が略半分に折り畳まれて重合されると共に、その上から上壁２を縁枠７に向けて折り曲げて重合することができ、さらにその上から、底壁５を上壁２に向けて折り曲げて重合することができる。底壁５を上壁２に重合した状態で、底壁５の差込片１１を上壁２の切り溝１０に差し込むことで係止すると、遮光フード１の折り畳み状態を保持することができ、極めて薄型になり携帯するときも嵩張らない。なお、図１０は折り畳んだ状態の遮光フードの正面図であり、図１１は折り畳んだ状態の遮光フードの背面図である。
【図面の簡単な説明】
【００３７】
【図１】本考案の実施形態に係る遮光フードを正面斜め上方から示す斜視図である。
【図２】図１の遮光フードを背面斜め上方から示す斜視図である。
【図３】遮光フードの正面図である。
【図４】遮光フードの背面図である。
【図５】遮光フードの（ａ）は左側面図、（ｂ）は右側面図である。
【図６】遮光フードの平面図である。
【図７】遮光フードの底面図である。
【図８】平面に展開して示す遮光フードの展開図である。
【図９】使用時の遮光フードを正面斜め上方から示す斜視図である。
【図１０】折り畳んだ状態の遮光フードの正面図である。
【図１１】折り畳んだ状態の遮光フードの背面図である。
【符号の説明】
【００３８】
１  遮光フード
２  上壁
３  側壁
３ａ  上辺
３ｂ  後辺
３ｃ  下辺
３ｄ  斜辺
４  側壁
４ａ  上辺
４ｂ  後辺
４ｃ  下辺
４ｄ  斜辺
５  底壁
６  開口
７  縁枠
８  カメラ収納部
９  シャッタボタン用孔
１０  切り溝
１１  差込片
１２  折り曲げライン部
１３  貼着片
１４  カメラ本体
１５  液晶表示面
１６  シャッタ
【図１】
0003145110.tif 000003
【図２】
0003145110.tif 000004
【図３】
0003145110.tif 000005
【図４】
0003145110.tif 000006
【図５】
0003145110.tif 000007
【図６】
0003145110.tif 000008
【図７】
0003145110.tif 000009
【図８】
0003145110.tif 000010
【図９】
0003145110.tif 000011
【図１０】
0003145110.tif 000012
【図１１】
0003145110.tif 000013